(57)【要約】【課題】きわめて簡単な操作により迅速に所期する形態に組み立て、折り畳みが行える包装用容器を提供する。【解決手段】断面形状が正八角形の角筒状包装用容器であって、底壁が、互いに組み合わされる一対の底壁構成片６、１０から構成されている。該底壁構成片６、１０は、対向する側壁の下縁に折目２６、３０を介して連設される一方、他の側壁の下縁に前記底壁構成片６、１０を折り畳み位置から底壁として機能する位置へ展開させる一対の操作片３、７が折目２３、２７を介して連設されている。他の側壁の下縁には、前記底壁構成片６、１０を下方から支持する支持部４、８が折目２４、２５、２８、２９を介して連設されている。【選択図】      図１
2004315012.tif 000002
【特許請求の範囲】
【請求項１】
断面形状が八角形である角筒状包装用容器であって、底壁が、互いに組み合わされる一対の底壁構成片から構成され、該底壁構成片は、対向する側壁の下縁に折目を介して連設される一方、他の側壁の下縁に前記底壁構成片を折り畳み位置から底壁として機能する位置へ展開させる一対の操作片が折目を介して連設されてなることを特徴とする包装用容器。
【請求項２】
他の側壁の下縁に、前記底壁構成片を下方から支持する支持部が折目を介して連設されてなる請求項１に記載の包装用容器。
【請求項３】
断面が正八角形である請求項１又は請求項２に記載の包装用容器。
【発明の詳細な説明】
【０００１】
【発明の属する技術分野】
この発明は、包装用容器、特に断面形状が八角形の角筒状包装用容器に関する。
【０００２】
【従来の技術】
従来、この種の包装用容器として、例えば、特開２０００−３２６９５４号公報においては、底壁を一対の第１底面フラップと、該第１底面フラップに組み合わされる一対の第２底面フラップと、第１底面フラップと第２底面フラップとを連結する連結手段を備え、第１底面フラップに設けられたスリットに、第２底面フラップの両側に設けられた差し込みフラップを差し込むことにより底壁が組み立てられるものとなされた包装用容器が提案されている（特許文献１参照）。。この包装用容器は、第１底面フラップと第２底面フラップとを連結する連結手段を備えているので、そのような連結手段を有しない場合に比べて組み立て操作を行いやすいものである。
【０００３】
【特許文献１】
特開２０００−３２６９５４号公報（図２）
【０００４】
【発明が解決しようとする課題】
しかしながら、前記包装用容器は、差し込みフラップをスリットに差し込む操作が、１箇所だけならともかく４箇所もあるので、いささか面倒である。また、箱形態に組み立てる際には、前記差し込み操作を行う前に、扁平に折り畳まれた状態から、一対の第１底面フラップを直角に折り曲げておかなければならない。１個だけならともかく、連続的に多数個の包装用容器を組み立てる場合、フラップを折り曲げる操作は、組み立て時間を増加させることはあっても短縮することはありえない。
【０００５】
この発明は、上記課題を解決することを目的としてなされたもので、きわめて簡単な操作により所期する形態に迅速に組み立てることのできる包装用容器を提供しようとするものである。
【０００６】
【課題を解決するための手段】
而して、上記目的を達成するために、この発明は、断面形状が八角形である角筒状包装用容器であって、底壁が、互いに組み合わされる一対の底壁構成片から構成され、該底壁構成片は、対向する側壁の下縁に折目を介して連設される一方、他の側壁の下縁に前記底壁構成片を折り畳み位置から底壁として機能する位置へ展開させる一対の操作片が折目を介して連設されてなることを特徴とする包装用容器、を要旨とする。。
【０００７】
この発明によれば、容器全体を折り畳み状態から所期する形態に組み立てる際に、自動的に操作片が底壁構成片を所期する位置へ展開させるので、ほぼワンタッチで組み立て操作を行うことができる。しかも、一対の底壁構成片が互いに組み合わされるものとなされているので、いわゆる底抜けの起き難い包装用容器を提供できる。
【０００８】
他の側壁の下縁に、前記底壁構成片を下方から支持する支持部が折目を介して連設されている場合には、より一層底抜けの起き難い包装用容器を提供できる。
【０００９】
断面が正八角形である場合には、折り畳みやすく、しかも折り畳み状態から所期する形態への操作のより一層行いやすい包装用容器を提供できる。
【００１０】
【発明の実施の形態】
以下、この発明に係る包装用容器を図面に示す実施形態に基づいて説明する。この実施形態の包装用容器（Ａ）は、腰のある紙から作成され、断面形状が正八角形の角筒状容器として形成されているもので、図３に示す展開状態から所要箇所を接合されて扁平な折り畳み状態とされ、通常はこの折り畳み状態のまま搬送、保管され、使用に際して所期する形態に組み立てられるものである。
【００１１】
図４の展開状態の平面図は、包装用容器（Ａ）の内面を表面として示したもので、同形同大の８枚の長方形の側壁（１ａ）（１ｂ）（１ｃ）…（１ｈ）が互いに縦折目（２１）（２１）（２１）…（２１）を介して横並びに連設されている。以下、左端から順に第１側壁（１ａ）、第２側壁（１ｂ）…第８側壁（１ｈ）と呼ぶものとする。
【００１２】
而して、第８側壁（１ｈ）には胴貼り用接合片（２）が折目（２２）を介して連設されている。第４側壁（１ｄ）の下縁に折目（２６）を介して第１底壁構成片（６）が連設されると共に、第８側壁（１ｈ）の下縁にも折目（３０）を介して第２底壁構成片（１０）が連設されている。第１底壁構成片（６）と第２底壁構成片（１０）とは、正八角形を中央から２分割したものに重合部（６ｂ）（１０ｂ）をプラスした形状の同形同大に形成され、組立時に各底壁構成片の重合部（６ｂ）（１０ｂ）が他方の底壁構成片の先端部（６ａ）（１０ａ）を下方から支持するものとなされている。第４側壁の上縁には折目（３７）を介して正八角形の蓋片（１５）が連設され、その周縁に、一辺おきに差し込み片（１６）（１６）（１６）が折目（４０）（４０）（４０）を介して連設されている。
【００１３】
第１側壁（１ａ）の下縁には、折目（２３）を介して操作片（３）が連設されると共に、第５側壁（１ｅ）の下縁にも折目（２７）を介して操作片（７）が連設されている。各操作片（３）（７）は、先端部（３ｂ）（７ｂ）が対応する底壁構成片（６）（１０）の下面に貼着されかつ組立時に操作片本体（３ａ）（７ａ）が底壁構成片（６）（１０）と面一となるように先端部（３ｂ）（７ｂ）と操作片本体（３ａ）（７ａ）との間に折目（３１）（３３）が設けられている。
【００１４】
第２側壁（１ｂ）及び第３側壁（１ｃ）の下縁には第１底壁構成片（６）を下面側から支持する第１支持部（４）が設けられている。この第１支持部（４）は、第２側壁（１ｂ）の下縁に折目（２４）を介して設けられた第１構成片（４ａ）と、第３側壁（１ｃ）の下縁に折目（２５）を介して設けられた第２構成片（４ｃ）とから構成されている。両構成片（４ａ）（４ｃ）は、第１構成片（４ａ）の先端に折目（３２）を介して連設された連結部（４ｂ）が、第２構成片（４ｃ）の下面に貼着されることにより連結されることになる。同様に、第６側壁（１ｆ）及び第７側壁（１ｇ）の下縁には第２底壁構成片（１０）を下面側から支持する第２支持部（８）が設けられている。この第２支持部（８）は、第６側壁（１ｆ）の下縁に折目（２８）を介して設けられた第１構成片（８ａ）と、第７側壁（１ｇ）の下縁に折目（２９）を介して設けられた第２構成片（８ｃ）とから構成されている。両構成片（８ａ）（８ｃ）は、第１構成片（８ａ）の先端に折目（３４）を介して連設された連結部（８ｂ）が、第２構成片（８ｃ）の下面に貼着されることにより連結されることになる。
【００１５】
図中、（１１）は、第１側壁（１ａ）の上縁に折目（３５）を介して連設されたフラップ、（１２）は、第３側壁（１ｃ）の上縁に折目（３６）を介して連設されたフラップ、（１３）は第５側壁（１ｅ）の上縁に折目（３８）を介して連設されたフラップ、（１４）は第７側壁（１ｇ）の上縁に折目（３９）を介して連設されたフラップである。
【００１６】
而して、この包装用容器（Ａ）は、使用に供するまでは、図５に示すように、一列に並んだ第２側壁（１ｂ）、第１側壁（１ａ）、該第１側壁（１ａ）に胴貼り用接合片（２）を介して接合された第８側壁（１ｈ）及び第７側壁（１ｇ）が、他の残りの側壁に重ね合わされた扁平な折り畳み状態に置かれるものであるが、前記展開状態からこの折り畳み状態に至る製作過程について説明する。
【００１７】
先ず、前記展開状態から図４に示すように、操作片（３）、第１支持部（４）、第１底壁構成片（６）、操作片（７）、第２支持部（８）及び第２底壁構成片（１０）を対応する側壁の内側に折り返し、第１支持部の連結部（４ｂ）及び第２支持部の連結部（８ｂ）をさらに各々の第１構成片（４ａ）（８ａ）の外面側に折り返しておく。次に所要箇所（丸印で示す箇所）に接着剤を塗布し、第６側壁（１ｆ）と第７側壁（１ｇ）との間の折目（２１）から第７側壁（１ｇ）、第２底壁構成片（１０）、第８側壁（１ｈ）及び胴貼用接合片（２）を合一的に内側に折り返し、（７ｂ）を第２底壁構成片（１０）の外面に貼着すると共に、第２構成片（８ｃ）の外面に（８ｂ）を貼着する。その後、第２側壁（１ｂ）と第３側壁（１ｃ）との間の折目（２１）から第１側壁（１ａ）、操作片（３）、第１支持部の第１構成片（４ａ）及び連結部（４ｂ）を合一的に内側に折り返して、操作片先端部（３ｂ）を第１底壁構成片（６）の外面に貼着すると共に、第１支持部の第２構成片（４ｃ）の外面に連結部（４ｂ）を、胴貼り用接合片（２）の外面に第１側壁（１ａ）の端部を貼着することにより、図５に示す折り畳み状態が得られる。
【００１８】
使用に当たって、この折り畳み状態から包装用容器（Ａ）を所期する角筒状に組み立てるに際しては、先ず、前記折り畳み状態の包装用容器（Ａ）を、図２に示すようにその両側を容器中央に向かって押し込むようにしながら、角筒状にする。すると、第１側壁（１ａ）及び第５側壁（１ｅ）が対向する側壁（１ｄ）（１ｈ）から離間するに従って、操作片（３）（７）が下方に下がって行く。操作片（３）（７）が下方に下がるに連れて操作片（３）（７）に接合されている第１底壁構成片（６）及び第２底壁構成片（１０）は、その先端部（６ａ）（１０ａ）が他方の底壁構成片の重合部（６ｂ）（１０ｂ）に重なり合いながら下方に下がって行く。この状態においては、両底壁片（６）（１０）は、必ずしも水平にはなっていないので、その先端部（６ａ）（１０ａ）を上方から軽く押し下げることにより、所期する底壁が組み立てられることになる。また、図２に示されているように、第１底壁構成片（６）の下方に位置する第１支持部の第１構成片（４ａ）及び第２構成片（４ｃ）が第１底壁構成片（６）を下方から支持すると共に、図２では図示されていないが、第２底壁構成片（１０）の下方に位置する第２支持部の第１構成片（８ａ）及び第２構成片（８ｃ）が第２底壁構成片（１０）を下方から支持するので、いわゆる底抜けの起こり難い包装用容器が得られる。
【００１９】
容器内に被包装物を収納した後、図１に示すようにフラップ（１１）（１２）（１３）（１４）を容器中心に向けて水平に折り曲げ、差し込み片（１６）（１６）（１６）を前記フラップ（１１）（１２）（１３）（１４）の間に位置させるように容器内に差し込むことにより、所期する閉蓋状態が得られる。
【００２０】
上記組み立て操作とは、逆の操作を行うことにより角筒状形態から容易に扁平な折り畳み状態へと変換することができる。
【００２１】
【発明の効果】
上述の次第で、この発明は、断面形状が八角形である角筒状包装用容器であって、底壁が、互いに組み合わされる一対の底壁構成片から構成され、該底壁構成片は、対向する側壁の下縁に折目を介して連設される一方、他の側壁の下縁に前記底壁構成片を折り畳み位置から底壁として機能する位置へ展開させる一対の操作片が折目を介して連設されているので、容器全体を折り畳み状態から所期する形態に組み立てる際に、自動的に操作片が底壁構成片を所期する位置へ展開させることができ、ほぼワンタッチで組み立て操作を行うことができる。しかも、一対の底壁構成片が互いに組み合わされるものとなされているので、いわゆる底抜けの起き難い包装用容器を提供できる。
【００２２】
他の側壁の下縁に、前記底壁構成片を下方から支持する支持部が折目を介して連設されている場合には、より一層底抜けの起き難い包装用容器を提供できる。
【００２３】
角筒状の断面は八角以上であれば特に限定されることはないが、断面が正八角形である場合には、折り畳みやすく、しかも折り畳み状態から所期する形態への操作のより一層行いやすい包装用容器を提供できる。
【図面の簡単な説明】
【図１】この発明に係る包装用容器の一実施形態の斜視図である。
【図２】同組み立て途上の斜視図である。
【図３】同包装用容器の展開状態の平面図である。
【図４】同組立途上の平面図である。
【図５】同扁平折り畳み状態の平面図である。
【符号の説明】
Ａ…包装用容器
３…第１操作片
４…第１支持部
６…第１底壁構成片
７…第２操作片
８…第２支持部
１０…第２底壁構成片
２３〜３０…折目
【図１】
2004315012.tif 000003
【図２】
2004315012.tif 000004
【図３】
2004315012.tif 000005
【図４】
2004315012.tif 000006
【図５】
2004315012.tif 000007